(57)【要約】【課題】トルネード型又は半トルネード型の水洗便器への用途において、容器部内の薬剤の溶出ばらつきや溶出過剰が少なく、一定の使用可能期間（使用可能フラッシュ回数）を確保できる薬剤供給具を提供する。【解決手段】開口１ａは、下容器１Ｂの下部に、長手方向中心線Ｌの方向に所定間隔で複数形成されている。各開口１ａの、長手方向中心線Ｌの方向で相対向する両壁面１ａ１は、それぞれ、長手方向中心線Ｌと直交する平面Ｐに対して、Ｘ方向側に角度θをもって傾斜している。Ｘ方向は、半トルネード型の水洗便器において、斜め下方向に噴出される洗浄水の流れの水平方向成分の方向、または、トルネード型の水洗便器において、水平方向に噴出される洗浄水の流れの方向である。【選択図】図４
2020105799.tif 000002
【特許請求の範囲】
【請求項１】
水洗便器の縁に掛け具で掛けて使用する薬剤供給具であって、
固形状、半固形状又はゲル状の薬剤を内部に収容すると共に、洗浄水が内部に通過可能な開口を有し、前記水洗便器の縁に掛けられた状態で、前記水洗便器の内面に沿って水平方向に向く長手方向中心線を有する容器部を備え、
前記開口は、前記長手方向中心線の方向に所定間隔で複数形成され、前記各開口の、前記長手方向中心線の方向で相対向する両壁面が、それぞれ、前記長手方向中心線と直交する平面に対して一方向側に傾斜していることを特徴とする薬剤供給具。
【請求項２】
前記容器部は、前記長手方向中心線に沿って細長の筒形状に形成されていることを特徴とする請求項１に記載の薬剤供給具。
【請求項３】
前記容器部は、少なくとも前記開口が設けられる部位が、前記一方向側に向かって漸次に前記長手方向中心線に近づく向きに傾斜していることを特徴とする請求項２に記載の薬剤供給具。
【請求項４】
前記開口と繋がり、前記容器部の外部から内部に向かって上り勾配の傾斜を有する傾斜面が前記容器部の内部に設けられていることを特徴とする請求項１から３の何れか１項に記載の薬剤供給具。
【発明の詳細な説明】
【技術分野】
【０００１】
本発明は、水洗便器の縁に掛けて使用する薬剤供給具、特にトルネード型又は半トルネード型の水洗便器に好適な薬剤供給具に関する。
【背景技術】
【０００２】
図７に示すように、水洗便器の仕様（洗浄水を流す方式）として、いわゆる半トルネード型｛同図（ａ）｝とトルネード型｛同図（ｃ）｝が知られている。半トルネード型は、便器の上縁部に沿って設けた多数の噴出口からそれぞれ洗浄水を便器内面に沿って斜め下方向に噴出させる方式、トルネード型は、便器の上縁部奥側に設けた１つの噴出口から洗浄水を便器内面に沿って水平方向に噴出させる方式である。
【０００３】
上記のような水洗便器の洗浄、消毒、脱臭、芳香付与等のための薬剤を便器内に供給する供給具として、薬剤を収容した容器部を便器の縁に掛けて使用する方式の供給具が知られている（例えば特許文献１、２）。容器部は、洗浄水が内部に通過可能な複数の開口を有し、便器の縁に係止可能な掛け具で吊り下げられた状態で、水洗便器内の所望の位置に配置される。
【０００４】
例えば、特許文献１の薬剤供給具では、便器の縁に掛けた状態で、便器の中心側に向く容器部の前部と、便器の内面側に向く容器部の後部に、それぞれ、上下方向に延びる直線スリット状の開口を設けている。直線スリット状の開口は、容器部の前部及び後部にそれぞれ、水平方向に所定間隔で複数形成されている。また、特許文献２の薬剤供給具では、便器の縁に掛けた状態で、便器の中心側に向く容器部（コンパートメント）の前部に、略水平方向に延びる曲線スリット状の開口を設けている。曲線スリット状の開口は、上下方向に所定間隔で複数形成されている。水洗時の洗浄水は、容器部の開口から容器部内に流入し、容器部内に収容された薬剤と接触して該薬剤を溶出させ、容器部の開口から便器内に流出する。このようにして、水洗時に洗浄水が流されるたびに、容器部内の薬剤が洗浄水に溶出して便器内に供給されることにより、洗浄、消毒、脱臭、芳香付与等の所望の機能が提供される。
【先行技術文献】
【特許文献】
【０００５】
【特許文献１】特開２００８−２４８５２１号公報
【特許文献２】特表２０１７−５２６８３９号公報
【発明の概要】
【発明が解決しようとする課題】
【０００６】
特許文献１、２の薬剤供給具では、水洗時に洗浄水の流れが容器部の各開口から容器部の内部に直接流入し易く、トルネード型又は半トルネード型の水洗便器への用途において、以下の問題点がある。
【０００７】
半トルネード型の水洗便器では、各噴出口から噴出する洗浄水の水量にばらつきがある。そのため、特許文献１、２のような薬剤供給具を半トルネード型の水洗便器に使用する場合、各開口から容器部の内部に流入して薬剤に接触する洗浄水の水量が薬剤の部位間でばらつき、洗浄水への薬剤の溶出量が薬剤の部位間でばらつく（溶出ばらつき）。そして、この溶出ばらつきにより、薬剤の消耗度合いが部位間でばらつく。一方、洗浄、消毒、脱臭、芳香付与等の所望の機能を担保するためには、１回の水洗時（フラッシュ時）に便器内に供給される薬剤の成分濃度（水洗後に便器内に溜まる水中の成分濃度）を一定濃度以上にする必要があるが、薬剤のある部位が大きく消耗し又は消失すると、薬剤の溶出量が全体として減少し、便器内に供給される薬剤の成分濃度が不足して所望の機能が得られなくなる。そのため、容器部内の薬剤を比較的早期に新たな薬剤に交換する必要があり、薬剤の使用可能期間（使用可能フラッシュ回数）が少なくなるという問題点がある。
【０００８】
また、特許文献１、２のような薬剤供給具をトルネード型の水洗便器に使用する場合、容器部内の薬剤が、便器内面に沿って水平方向に旋回する多量の洗浄水の流れと接触するため、薬剤の溶出過剰による消耗が早く、薬剤の使用可能期間（使用可能フラッシュ回数）が少なくなるという問題点がある。特に、特許文献２の薬剤供給具では、容器部の曲線スリット状の各開口が略水平方向に延びているので、斜め下方向への洗浄水の流れ（半トルネード型）や水平方向への洗浄水の流れ（トルネード型）が各開口から容器部の内部に流入し易く、薬剤の溶出過剰による消耗の度合いが大きい。
【０００９】
上記の従来技術上の問題点に鑑み、本発明は、トルネード型又は半トルネード型の水洗便器への用途において、容器部内の薬剤の溶出ばらつきや溶出過剰が少なく、一定の使用可能期間（使用可能フラッシュ回数）を確保できる薬剤供給具を提供することを課題とする。
【課題を解決するための手段】
【００１０】
上記課題を解決するため、本発明は、水洗便器の縁に掛け具で掛けて使用する薬剤供給具であって、固形状、半固形状又はゲル状の薬剤を内部に収容すると共に、洗浄水が内部に通過可能な開口を有し、前記水洗便器の縁に掛けられた状態で、前記水洗便器の内面に沿って水平方向に向く長手方向中心線を有する容器部を備え、前記開口は、前記長手方向中心線の方向に所定間隔で複数形成され、前記各開口の、前記長手方向中心線の方向で相対向する両壁面が、それぞれ、前記長手方向中心線と直交する平面に対して一方向側に傾斜している薬剤供給具を提供する。
【発明の効果】
【００１１】
本発明によれば、トルネード型又は半トルネード型の水洗便器への用途において、容器部内の薬剤の溶出ばらつきや溶出過剰が少なく、一定の使用可能期間（使用可能フラッシュ回数）を確保できる薬剤供給具を提供することができる。
【図面の簡単な説明】
【００１２】
【図１】実施形態に係る薬剤供給具の斜視図である。
【図２】容器部の長手方向中心線Ｌと直交する断面図（図４のＡ−Ａ断面に対応）である。
【図３】容器部の長手方向中心線Ｌと直交する断面図（図４のＢ−Ｂ断面に対応）である。
【図４】下容器を示す図であり、図４（ａ）は平面図、図４（ｂ）は図４（ａ）のＣ−Ｃ断面図（下容器の外面の法平面に沿った断面）である。
【図５】受け部の平面図である。
【図６】容器部の長手方向中心線Ｌと直交する断面図（図４のＡ−Ａ断面に対応）である。
【図７】水洗便器の仕様（洗浄水を流す方式）を示す模式図であり、図４（ａ）は半トルネード型、図４（ｂ）はトルネード型を示す。
【図８】他の実施形態に係る容器部の開口の形態を示す断面図｛図４（ａ）のＣ−Ｃ断面に対応｝である。
【発明を実施するための形態】
【００１３】
以下、本発明の実施形態を図面に従って説明する。
【００１４】
図１に示すように、この実施形態の薬剤供給具は、固形状、半固形状又はゲル状の薬剤を内部に収容すると共に、洗浄水が内部に通過可能な開口１ａ（図２及び図４を参照）を有する容器部１と、容器部１の外面側に設けられ、水洗便器の洗浄水を受けて該洗浄水を容器部１の開口１ａに導く受け部２と、薬剤供給具を水洗便器の縁に掛けるための掛け具３とを備えている。この実施形態において、容器部１は、細長の円筒形状に形成され、便器の縁に掛け具３で掛けられた状態で、長手方向中心線Ｌが便器内面に沿って水平方向（略水平方向を含む）に向いた状態で配置される。受け部２は、容器部１の長手方向線Ｌに沿った細長の受け皿状に形成され、容器部１の下部に着脱可能に装着される。
【００１５】
図２（長手方向中心線Ｌと直交する断面：図４のＡ−Ａ断面に対応）、図３（長手方向中心線Ｌと直交する断面：図４のＢ−Ｂ断面に対応）及び図４に示すように、この実施形態において、容器部１は上容器１Ａと下容器１Ｂとで構成され、上容器１Ａと下容器１Ｂとが嵌合部Ｆで着脱可能に嵌合している。下容器１Ｂの下部には、上記の開口１ａ、長手方向中心線Ｌに沿った細長の下開口１ｂ、長手方向中心線Ｌを跨いで下開口１ｂに横架された台座１ｃ（１ｃ１、１ｃ２）、下開口１ｂの長手方向中心線Ｌに沿った縁部から下方に延びた係合爪１ｄが、それぞれ設けられている。例えば固形状の薬剤Ｍは台座１ｃに載置された状態で、容器部１の内部に収容される。容器部１の開口１ａより上方の部位は外部に対して閉塞している。開口１ａを設ける領域は、好ましくは容器部１の下部、具体的には、容器部１の下端から、容器部１の全高さの１／２以下の領域、より好ましくは１／３以下の領域、さらに好ましくは１／４以下の領域である。
【００１６】
図４に示すように、この実施形態において、開口１ａは、容器１Ｂの下部に、長手方向中心線Ｌの方向に所定間隔で複数形成されている。複数の開口１ａは、長手方向中心線Ｌを挟んで下容器１Ｂの下部の両側にそれぞれ配置され、両側の開口１ａの配置態様は相互間で長手方向中心線Ｌに対して鏡像対称である。また、図２に示すように、長手方向中心線Ｌと直交する断面における、開口１ａの中心線Ｌ１（前記断面における開口１ａの中心を通り、下容器１Ｂの外面の接線又は接平面と直交する線）は容器部１の内部から外部に向かって下方側に傾斜している。
【００１７】
図４（ｂ）｛図４（ａ）のＣ−Ｃ断面：下容器１Ｂの外面の法平面に沿った断面｝に示すように、各開口１ａの、長手方向中心線Ｌの方向で相対向する両壁面１ａ１は、それぞれ、長手方向中心線Ｌと直交する平面Ｐに対して、Ｘ方向側に角度θをもって傾斜している。通常、Ｘ方向は、半トルネード型の水洗便器において、斜め下方向に噴出される洗浄水の流れの水平方向成分の方向、または、トルネード型の水洗便器において、水平方向に噴出される洗浄水の流れの方向である。
【００１８】
台座１ｃは、形態が異なる２種類の台座部１ｃ１、１ｃ２を長手方向中心線Ｌに沿って交互に間隔をあけて配置することによって構成される。台座部１ｃ１は、２本の桁１ｃ１ａが両側の基部１ｃ１ｂに繋がった形態を有し、両側の基部１ｃ１ｂの側部にそれぞれ傾斜面１ｃ１ｃが設けられている。各傾斜面１ｃ１ｃは、下容器１Ｂの外部から内部に向かって上り勾配の傾斜を有し、その傾斜方向下端は開口１ａに繋がる。また、各傾斜面１ｃ１ｃの長手方向中心線Ｌに沿った幅は、開口１ａと同じか、あるいは、開口１ａよりも大きい。台座部１ｃ２は、全体としてコ字形の形態を有する。
【００１９】
係合爪１ｄは、下開口１ｂの長手方向中心線Ｌに沿った両縁部の複数個所にそれぞれ設けられる。
【００２０】
図５に示すように、受け部２は、長手方向線Ｌに沿った細長の受け皿状に形成され、外周部から中央部に向かって緩やかな傾斜で凹んだ形態を有し、中央部には長手方向中心線Ｌに沿った細長の開口２ａが設けられている。
【００２１】
図２及び図３に示すように、下容器１Ｂの係合爪１ｄは、弾性変形しながら受け部２の開口２ａを貫通したのち、弾性復元して受け部２の下面に係合する。このようにして、受け部２が容器部１（下容器１Ｂ）の下部に取り付けられる。容器部１の下部に装着された受け部２は、容器部１の下部から、容器部１の外面に対して外方に張り出すように、緩やかな傾斜で斜め上方に延び、図２に示すように、その外周縁は開口１ａの上縁よりも高い位置に達する。そのため、開口１ａは空間部Ｓを隔てて受け部２で覆われた状態になる。
【００２２】
図１に示すように、掛け具３の基部は、容器部１（上容器１Ａ）に設けられたスリット状の挿入孔１ｅを上下方向に移動可能に貫通して、容器部１の内部に入り込んでいる。掛け具３の基部には、挿入孔１ｅの周縁部と係合可能な多数の凹凸を有する調整部３ａが設けられており、また、掛け具３の先端部には、水洗便器の縁に係止可能なフック部３ｂが設けられている。掛け具３の基部を容器部１の挿入孔１ｅに挿入し、調整部３ａを挿入孔１ｅ内で上下方向に移動させて、フック部３ｂに対する容器部１の位置を調整する。そして、容器部１を水洗便器の内部に入れ、掛け具３のフック部３ｂを水洗便器の縁に係止すると、薬剤供給具（容器部１及び受け部２）が掛け具３で吊り下げられた状態で、水洗便器内の所望の位置に配置される。この状態で、容器部１の長手方向中心線Ｌは、便器の内面に沿って水平方向（略水平方向を含む）に向く。
【００２３】
前述した半トルネード型｛図７（ａ）｝とトルネード型｛図７（ｂ）｝の違いによって、洗浄水の噴出態様および流れの方向が異なるが、図４（ｂ）に示すように、この実施形態の薬剤供給具では、斜め下方向に噴出される洗浄水の流れ（半トルネード型）の水平方向成分の方向Ｘ、または、水平方向に噴出される洗浄水の流れ（トルネード型）の方向Ｘに対して、容器部１の各開口１ａの両壁面１ａ１が、それぞれ、前方側となる方向（Ｘ方向）側に傾斜しているため、洗浄水の流れが開口１ａから容器部１の内部に直接流入し難くなる。そのため、半トルネード型の水洗便器では、各噴出口から斜め下方向に噴出する洗浄水の流れが、各開口１ａに流入するまでの間に相互に合流などすることにより、各開口１ａから容器部１の内部に流入する洗浄水の水量のばらつきが緩和される。そして、洗浄水が薬剤の各部位に比較的均等に接触することにより、薬剤の溶出ばらつきが少なくなり、一定の使用可能期間が確保される。また、トルネード型の水洗便器では、便器内面に沿って水平方向に旋回する多量の洗浄水の流れが容器部１の内部に収容された薬剤と直接接触し難くなるため、薬剤の溶出過剰による消耗が抑制され、一定の使用可能期間が確保される。
【００２４】
しかも、この実施形態の薬剤供給具では、容器部１の開口１ａが容器部１の下部に設けられており、また、容器部１の外部から内部に向かって上り勾配の傾斜を有する傾斜面１ｃ１ｃが容器部１の内部に設けられているため、洗浄水の流れが開口１ａから容器部１の内部に直接流入し難くなる作用が高まり、上記の効果が高められる。
【００２５】
さらに、この実施形態の薬剤供給具では、容器部１の外面側に受け部２が設けられているので、図６に示すように、水洗便器の仕様に係らず、洗浄水Ｗが受け部２によって受けられ、受け部２と容器部１の外面との間の空間部Ｓに一旦溜まった後、空間部Ｓから開口１ａを介して容器部１の内部に流入する。その際、洗浄水Ｗは、開口１ａから台座部１ｃ１の傾斜面１ｃ１ｃを昇るようにして容器部１の内部に流入する。そのため、半トルネード型の水洗便器では、各噴出口から噴出する洗浄水Ｗの水量のばらつきが、空間部Ｓでの洗浄水Ｗの溜まりによってバッファ（緩衝）され、そして、空間部Ｓに一旦溜まった洗浄水Ｗは、容器部１の各開口１ａから均一水量で容器部１の内部に流入して、容器部１の内部に収容された薬剤の各部位に均等に接触する。このようにして、洗浄水Ｗが薬剤の各部位に均等に接触することにより、薬剤の溶出ばらつきがより一層少なくなり、一定の使用可能期間が確保される。また、トルネード型の水洗便器では、便器内面に沿って水平方向に旋回する多量の洗浄水Ｗの流れが容器部１の内部に収容された薬剤と直接接触することがなくなるため、薬剤の溶出過剰による消耗がより一層抑制され、一定の使用可能期間が確保される。
【００２６】
開口１ａから容器部１の内部に流入し、薬剤と接触した洗浄水Ｗは、薬剤の溶出成分と伴に容器部１の下端開口１ｂおよび受け部２の開口２ａから便器内に流出する。
【００２７】
図８｛図４（ａ）のＣ−Ｃ断面に対応｝は、他の実施形態に係る容器部１（下容器１Ｂ）の開口１ａの形態を示している。この実施形態では、開口１ａが設けられる容器部１の部位が、Ｘ方向側に向かって漸次に長手方向中心線Ｌに近づく向きに傾斜している。各開口１ａの、長手方向中心線Ｌの方向で相対向する両壁面１ａ１は、容器部１の上記部位の壁面と直交するが、容器部１の上記部位が上記の態様で傾斜しているため、両壁面１ａ１は、それぞれ、長手方向中心線Ｌと直交する平面Ｐに対して、Ｘ方向側に角度θをもって傾斜する。このような開口１ａの形態は、例えば、開口１ａが設けられる容器部１の部位を局部的に上記の態様で傾斜させる、あるいは、容器部１の全体を長手方向中心線Ｌに沿ってＸ方向側に漸次に縮径する細長の円錐筒形状に形成することによって実現することができる。
【００２８】
尚、以上の実施形態に係る薬剤供給具を半トルネード型またはトルネード型の水洗便器に適用するにあたり、容器部１の開口１ａから容器部１の内部に入る洗浄水の水量が少ないために、薬剤Ｍの溶出量が不足する場合、あるいは、洗浄水に対する薬剤Ｍの溶出性が低く、薬剤Ｍの溶出量が不足する場合等には、容器部１の各開口１ａの両壁面１ａ１が、それぞれ、長手方向中心線Ｌと直交する平面Ｐに対して、図４（ｂ）または図８に示すＸ方向と反対側に傾斜するようにしてもよい。これにより、容器部１の開口１ａから容器部１の内部に入る洗浄水の水量が増え、薬剤Ｍの適切な溶出量を確保することができる。各開口１ａの両壁面１ａ１をこの態様で傾斜させる手段として、容器部１のＸ方向に対する向きを、図４（ｂ）または図８に示す向きと反対向きにすることが最も簡易かつ実用的な手段である。
【符号の説明】
【００２９】
１  容器部
１Ａ  上容器
１Ｂ  下容器
１ａ  開口
１ａ１  壁面
１ｃ１ｃ  傾斜面
【図１】
2020105799.tif 000003
【図２】
2020105799.tif 000004
【図３】
2020105799.tif 000005
【図４】
2020105799.tif 000006
【図５】
2020105799.tif 000007
【図６】
2020105799.tif 000008
【図７】
2020105799.tif 000009
【図８】
2020105799.tif 000010